(57)【要約】【課題】複数の接続端子およびハウジングに複雑な加工をすることなく、複数の接続端子が容易に位置決めされるコネクタを提供する。【解決手段】挿入口列１４、１５を形成したハウジング１０と、一端を挿入口列１４に挿入し、他端を回路基板の所定位置に接続する複数の接続端子からなる第１接続端子列２０と、一端を挿入口列１５に挿入し、他端を回路基板の所定位置と離れた位置に接続する複数の接続端子からなる第２接続端子列４０と、第２接続端子列４０をハウジング１０に対して位置決めし、第２接続端子列４０の接続端子同士の接触を防止する位置決め手段を備えるコネクタ１であって、この位置決め手段である位置決めプレート３０は、ハウジング１０とは別体に構成され、第１接続端子列２０をハウジング１０に装着した後にハウジング１０に装着され、次に第２接続端子列４０をハウジング１０に装着する。【選択図】図２
2006147372.tif 000002
【特許請求の範囲】
【請求項１】
少なくとも上下２列の複数の挿入口が形成されたハウジングと、一端が前記挿入口の下の列に挿入され、他端が回路基板の所定位置に接続される複数の接続端子からなる第１接続端子列と、一端が前記挿入口の上の列に挿入され、他端が前記回路基板の前記所定位置から離れた位置に接続される複数の接続端子からなる第２接続端子列と、前記第２接続端子列を前記ハウジングに対して位置決めするとともに、前記第２接続端子列の隣り合う接続端子の接触を防止する位置決め手段を備えるコネクタであって、
前記位置決め手段は、前記ハウジングとは別体に構成されており、前記第１接続端子列を前記ハウジングに装着した後に該ハウジングに装着され、次いで前記第２接続端子列を前記ハウジングに装着するようになっていることを特徴とするコネクタ。
【請求項２】
前記第１接続端子列の各接続端子は、前記挿入口に配置されるコンタクト部と、該コンタクト部の基端から略直角に曲げられ回路基板方向に延びる脚部とを有し、前記第２接続端子列の各接続端子は、前記挿入口に配置されるコンタクト部と、該コンタクト部の基端から略直角に曲げられ回路基板方向に延びる脚部とを有し、前記第２接続端子列の各接続端子の脚部は、前記第１接続端子列の各接続端子の脚部の後方に間隔をおいて位置しており、前記位置決め手段は、前記間隔に配置された位置決めプレートからなる請求項１に記載のコネクタ。
【請求項３】
前記位置決めプレートは、前記第２接続端子列をそれぞれ受け入れるため、前記第２接続端子列の脚部側の側面に所定間隔で形成された複数の溝部を備える請求項１または２に記載のコネクタ。
【請求項４】
前記位置決めプレートの前記複数の溝部は、前記第２接続端子列を前記第１接続端子列に対して、列方向に任意の距離分ずれた状態で位置決めするように形成されている請求項１ないし３のいずれかに記載のコネクタ。
【請求項５】
前記位置決めプレートは、前記ハウジングに形成された案内溝に嵌挿することによって、前記ハウジングに装着される請求項１ないし４のいずれかに記載のコネクタ。
【請求項６】
前記コネクタは、さらに前記第１接続端子列を前記ハウジングに対して位置決めすることができる第１接続端子列用位置決め手段を備えている請求項１ないし５のいずれかに記載のコネクタ。
【請求項７】
前記第１接続端子列用位置決め手段は、前記第１接続端子列の各接続端子を受け入れるために、前記ハウジングに所定間隔で形成された複数の溝部からなる請求項１ないし６のいずれかに記載のコネクタ。
【請求項８】
前記第１接続端子列用位置決め手段は、前記第１接続端子列の各接続端子を受け入れるために、前記位置決めプレートの前記第１接続端子列の脚部側の側面に所定間隔で形成された複数の溝部からなる請求項１ないし６のいずれかに記載のコネクタ。
【発明の詳細な説明】
【技術分野】
【０００１】
本発明は、接続端子の位置決めが可能なコネクタに関するものである。
【背景技術】
【０００２】
近年、電子製品の小型化・薄型化よって、その部品であるコネクタにおいても小型化・薄型化が求められている。これを実現するために、コネクタの複数の接続端子の間隔が狭くなり、これらコネクタの接続端子が接続される回路基板の接続位置の間隔も小さくなる傾向にある。これにともない、完成したコネクタにおいて、接続端子のコネクタに対する位置決め精度の向上が必要となる。
【０００３】
接続端子のコネクタに対する位置決め精度向上のために、完成したコネクタの外観を検査し、接続端子の位置の修正を行うことで製品製造の工程数が増える。
【０００４】
特許文献１に示すようなコネクタでは、複数の接続端子（基板用接続端子）と、これらの複数の接続端子を挿入するための複数の挿入口（角孔）を有する端子固定壁と、この端子固定壁と略直角をなす方向に突出する基板取付壁からなるハウジング（絶縁体）とを備えている。
【０００５】
これら複数の接続端子は、端子固定壁に挿入されるコンタクト部と、このコンタクト部と略直角をなし、基板方向に延びる脚部とを有する。各脚部の所定位置には幅広部を形成するように加工されている。
【０００６】
前述の基板取付壁には、この基板取付壁が突出する方向に形成されている端子ガイド溝が形成されている。端子ガイド溝の所定位置には、この端子ガイド溝の幅よりも大きい幅を有し、各脚部の幅広部を受け入れるための位置決め部が形成されている。
【０００７】
複数の接続端子をハウジングに取り付ける際に、これらの接続端子の幅広部と基板取付壁の位置決め部とが係合することによって、接続端子をハウジングに対して位置決めする。
【０００８】
また、特許文献１の図５には、ハウジングとは別体からなる位置決め手段が開示されている。
【０００９】
【特許文献１】特開平６−１０４０５５号公報
【発明の開示】
【発明が解決しようとする課題】
【００１０】
しかしながら、特許文献１に示すようなコネクタでは、複数の接続端子およびハウジングに複雑な加工が必要であるという問題がある。
【００１１】
また、特許文献１の図５に開示されているコネクタでは、ハウジングに複数の接続端子を挿入した後、ハウジングとは別体に構成されている位置決め手段をハウジングに装着する際に、位置決め手段の所定位置形成された複数の穴に複数の接続端子をそれぞれ挿入するという煩雑な工程が必要あるという問題もある。
【００１２】
本発明は、これらの問題点に鑑みなされたものであり、その目的は、複数の接続端子およびハウジングに複雑な加工をすることなく、複数の接続端子の位置決めが可能であるとともに、ハウジングとは別体に構成されている位置決め手段によって、複数の接続端子が容易に位置決めされるコネクタを提供することにある。
【課題を解決するための手段】
【００１３】
上記目的を達成するために、本発明のコネクタは、少なくとも上下２列の複数の挿入口が形成されたハウジングと、一端が前記挿入口の下の列に挿入され、他端が回路基板の所定位置に接続される複数の接続端子からなる第１接続端子列と、一端が前記挿入口の上の列に挿入され、他端が前記回路基板の前記所定位置から離れた位置に接続される複数の接続端子からなる第２接続端子列と、前記第２接続端子列を前記ハウジングに対して位置決めするとともに、前記第２接続端子列の隣り合う接続端子の接触を防止する位置決め手段を備えるコネクタであって、
前記位置決め手段は、前記ハウジングとは別体に構成されており、前記第１接続端子列を前記ハウジングに装着した後に該ハウジングに装着され、次いで前記第２接続端子列を前記ハウジングに装着するようになっていることを特徴とするコネクタ。
【００１４】
以上の構成を有するコネクタにおいて、ハウジングとは別体に構成された位置決め手段によって、従来例のようにハウジングおよび第２接続端子列に複雑な加工を必要とすることなく位置決めするとともに、第２接続端子列の隣り合う接続端子の接触を防止することができる。また、第１接続端子列、位置決め手段、第２接続端子列の順でハウジングに装着することによって、従来例のように位置決め手段をハウジングに装着する際に煩雑な工程を必要とすることなく、第２接続端子列をハウジングに対して、容易に位置決めするとともに、第２接続端子列の隣り合う接続端子の接触を防止することができる。これにより、第２接続端子の位置決め精度が向上し、外観検査および接続端子の位置の手直し修正を行うことなく、コネクタを正確に回路基板に実装することができる。
【００１５】
また、本発明のコネクタでは、前記第１接続端子列の各接続端子は、前記挿入口に配置されるコンタクト部と、該コンタクト部の基端から略直角に曲げられ回路基板方向に延びる脚部とを有し、前記第２接続端子列の各接続端子は、前記挿入口に配置されるコンタクト部と、該コンタクト部の基端から略直角に曲げられ回路基板方向に延びる脚部とを有し、前記第２接続端子列の各接続端子の脚部は、前記第１接続端子列の各接続端子の脚部の後方に間隔をおいて位置しており、前記位置決め手段は、前記間隔に配置された位置決めプレートからなることが好ましい。
【００１６】
これにより、デッドスペースとなっている第１接続端子列の脚部と第２接続端子列の脚部との間隔に位置決め手段を配置することによって、第２接続端子列の接続端子をハウジングに対して位置決めするとともに、第２接続端子列の隣り合う接続端子の接触を防止することができる。
【００１７】
また、本発明のコネクタでは、前記位置決めプレートは、前記第２接続端子列をそれぞれ受け入れるため、前記第２接続端子列の脚部側の側面に所定間隔で形成された複数の溝部を備えることが好ましい。
【００１８】
以上の構成を有するコネクタにおいて、所定間隔で形成された複数の溝部に、第２接続端子列の複数の接続端子をそれぞれ配置する。これにより、第２接続端子列の接続端子をハウジングに対して位置決めするとともに、第２接続端子列の隣り合う接続端子の接触を防止することができる。
【００１９】
また、本発明のコネクタでは、前記位置決めプレートの前記複数の溝部は、前記第２接続端子列を前記第１接続端子列に対して、列方向に任意の距離分ずれた状態で位置決めするように形成されていることが好ましい。
【００２０】
以上の構成を有するコネクタにおいて、第１接続端子列が接続される回路基板の接続位置に対して、第２接続端子列が接続される回路基板の接続位置を適宜離すことができる。これにより、第１接続端子列および第２接続端子列を回路基板に接続する際に、隣接する接続端子の接触を防止するとともに、はんだ付けのはみ出し等によって引き起こされる回路基板の接続位置でのショートを防ぐことができる。
【００２１】
また、本発明のコネクタでは、前記位置決めプレートは、前記ハウジングに形成された案内溝に嵌挿することによって、前記ハウジングに装着されることが好ましい。
【００２２】
以上の構成を有するコネクタにおいて、位置決めプレートは、ハウジングに対して位置決めした状態で容易にハウジングに装着される。これにより、位置決めプレートのハウジングに対する位置決め精度を向上させることができ、ひいては、第２接続端子列のハウジングに対する位置決め精度を向上させることができる。
【００２３】
また、本発明のコネクタは、さらに前記第１接続端子列を前記ハウジングに対して位置決めすることができる第１接続端子列用位置決め手段を備えていることが好ましい。
【００２４】
これにより、第１接続端子の位置決め精度も向上し、容易にコネクタを回路基板に実装することができる。
【００２５】
また、本発明のコネクタでは、前記第１接続端子列用位置決め手段は、前記第１接続端子列の各接続端子を受け入れるために、前記ハウジングに所定間隔で形成された複数の溝部からなることが好ましい。
【００２６】
以上の構成を有するコネクタにおいて、ハウジングに所定間隔形成された複数の溝部に、第１接続端子列の複数の接続端子をそれぞれ配置する。これにより、第１接続端子列の接続端子をハウジングに対して直接位置決めするとともに、第１接続端子列の隣り合う接続端の接触を防止することができる。
【００２７】
また、本発明のコネクタでは、前記第１接続端子列用位置決め手段は、前記第１接続端子列の各接続端子を受け入れるために、前記位置決めプレートの前記第１接続端子列の脚部側の側面に所定間隔で形成された複数の溝部からなることが好ましい。
【００２８】
以上の構成を有するコネクタにおいて、位置決めプレートの第１接続端子列の脚部側の側面に所定間隔で形成された複数の溝部に、第１接続端子列の複数の接続端子をそれぞれ配置する。これにより、第１接続端子列の接続端子をハウジングに対して位置決めするとともに、第１接続端子列の隣り合う接続端子同士が接触を防止することができる。
【発明を実施するための最良の形態】
【００２９】
図１は、本発明に係るコネクタの斜視図である。図２は、図１に示すコネクタのケーシングを除いた部分の分解斜視図である。
【００３０】
本発明のコネクタの一実施形態であるコネクタ１は、プラグ側のコネクタとレセプタクル側のコネクタからなるコネクタである。本明細書においては、レセプタクル側のコネクタを用いて説明する。
【００３１】
図１および図２に示すように、コネクタ１は、上下２列の複数の挿入口列１４、１５が形成されたハウジング１０と、一端が第１挿入口列１４に挿入され、他端が回路基板（図示せず）の所定位置に接続される第１接続端子列２０と、一端が第２挿入口列１５に挿入され、他端が前述の回路基板の所定位置と離れた位置に接続される第２接続端子列４０と、第１接続端子列２０と第２接続端子列４０との間に配置された状態でハウジング１０に装着される位置決めプレート３０と、ハウジング１０の延出部１３を取り囲むように、ハウジング１０に取り付けられるケーシング５０とから構成されている。
【００３２】
位置決めプレート３０は、ハウジング１０とは別体に構成されている。また、位置決めプレート３０は、第２接続端子列４０をハウジング１０に対して位置決めするとともに、第２接続端子列４０の隣り合う接続端子の接触を防止する位置決め手段の役割を果たす。
【００３３】
また、本実施形態のコネクタ１では、まず、第１接続端子列２０をハウジング１０に装着し、次いで位置決めプレート３０をハウジング１０に装着し、最後に第２接続端子列４０をハウジング１０に装着するという順番で組み立てられる。
【００３４】
以下、本発明に各部の詳細について説明する。      
ハウジング１０は、樹脂の一体成形によって作られる。また、ハウジング１０は、図２に示すように、端子保持部１１と、端子保持部１１を両側に保持し、本実施形態のコネクタ１を回路基板に取り付ける取り付け部１２とから構成されている。
【００３５】
端子保持部１１は、図２に示すように、第１接続端子列保持部１１ａと、第１接続端子列保持部１１ａの上方に形成されている第２接続端子列保持部１１ｂと、第１接続端子列保持部１１ａの下方に形成されている壁部１１ｃとから構成されている。第１接続端子列保持部１１ａの第１接続端子列２０の他端側の面、第２接続端子列保持部１１ｂの第１接続端子列２０を挿入する側の面および壁部１１ｃの第２接続端子列４０を挿入する側の面は、それぞれ第１接続端子列２０の挿入方向の位置が異なるように形成されている。また、端子保持部１１は、端子保持部１１の第１接続端子列２０（第２接続端子列４０）を挿入する側の面と反対側の面から、第１接続端子列２０の挿入方向に延出する延出部１３とともに樹脂によって一体に成形されている。
【００３６】
第１接続端子列保持部１１ａには、複数の挿入口が形成されている。図２に示すように、第１接続端子列保持部１１ａには、第１接続端子列２０の一端が挿入される１３個の第１挿入口列１４が形成されている。第１挿入口列１４の各挿入口は、所定間隔ごとに形成されている。第１挿入口列１４は、それぞれ第１接続端子列保持部１１ａを貫通している。また、第１挿入口列１４は、延出部１３の下側の表面に形成された１３列の溝列１８とそれぞれ一体となるように形成されている。第１挿入口列１４を構成する各挿入口の幅は、溝列１８を構成する各溝の幅とほぼ同じとなるように形成されている。
【００３７】
第２接続端子列保持部１１ｂには、第２接続端子列４０の一端が挿入される１３個の第２挿入口列１５が形成されている。第２挿入口列１５の各挿入口は、所定間隔ごとに形成されている。第２挿入口列１５は、それぞれ第２接続端子列保持部１１ｂを貫通している。また、第２挿入口列１５は、延出部１３の上側の表面に形成された１３列の溝列（図示せず）とそれぞれ一体となるように形成されている。第２挿入口列１５を構成する各挿入口の幅は、延出部１３の上側の表面に形成された溝列を構成する各溝の幅とほぼ同じとなるように形成されている。
【００３８】
また、壁部１１ｃには、後で詳細に説明する第１接続端子列用位置決め手段の役割を果たす溝部１６が形成されている。溝部１６は、所定間隔ごとに１３個形成されている。
【００３９】
また、図２に示すように、取り付け部１２は端子保持部１１の両側に略対向して形成されている。取り付け部１２の端子保持部１１側の側面には、後で詳細に説明する位置決めプレート３０を嵌挿するための案内溝１７ａ、１７ｂが形成されている。これにより、位置決めプレート３０をハウジング１０に対して容易に位置決めすることができる。なお、案内溝１７ａは、後述する位置決めプレート３０の凸部３２に対応した形状を有する。
【００４０】
第１接続端子列２０および第２接続端子列４０は、銅から形成される。ハウジング１０に装着する前の第１接続端子列２０の各接続端子および第２接続端子列４０の各接続端子は、図３に示すように、端子部２１、４１と連結部２２、４２とから構成されている。なお、図３は図２と上下が逆になっている斜視図である。１３個の各接続端子からなる第１接続端子列２０および第２接続端子列４０を、それぞれ第１挿入口列１４および第２挿入口列１５に、列ごとにハウジング１０に挿入することができる。端子部２１、４１から連結部２２、４２を切り離すことによって、各接続端子が独立してハウジング１０に装着された状態となる。本実施形態では、まず、第１接続端子列２０をハウジング１０に挿入し、連結部２２を切り離す。次に、位置決めプレート３０をハウジング１０に挿入する。最後に第２接続端子列４０をハウジング１０に挿入し、連結部４２を切り離す。
【００４１】
図３および図４に示すように、第１接続端子列２０の各接続端子の端子部２１および第２接続端子列４０の各接続端子の端子部４１は、それぞれ直線状のコンタクト部２３、４３と、コンタクト部２３、４３の基端から略直角に曲げられ回路基板方向（図３中では上方向、図４中では下方向）に延びる脚部２４、４４と、脚部２４、４４のもう一方の端からさらに略直角に曲げられ、コンタクト部２３、４３の延出方向と逆方向に延びる接続部２５、４５とを有する。コンタクト部２３、４３の先端部が第１接続端子列２０および第２接続端子列４０の一端であり、接続部２５、４５が、第１接続端子列２０および第２接続端子列４０の他端となっている。
【００４２】
図４に示すように、第２接続端子列４０の各接続端子のコンタクト部４３および脚部４４は、それぞれ第１接続端子列２０の各接続端子のコンタクト部２３および脚部２４より長くなっている。
【００４３】
図４に示すように、コネクタ１が組み立てられた状態で、第２接続端子列４０の各接続端子の脚部４４は、それぞれ第１接続端子列２０の各接続端子の脚部２４の後方に間隔をおいて位置している。この間隔に位置決めプレート３０が配置されている。第１接続端子列２０の脚部２４と第２接続端子列４０の脚部４４との間に生じるデッドスペースに、位置決めプレート３０を配置することによって、第２接続端子列を容易に位置決めすることができる。
【００４４】
また、第１接続端子列２０の各接続端子のコンタクト部２３および、第２接続端子列４０の各接続端子のコンタクト部４３は、それぞれ第１挿入口列１４、第２挿入口列１５を貫通し、溝列１８、延出部１３の上側の表面に形成された溝列に沿って延出部１３に配置される。
【００４５】
また、第２接続端子列４０の各接続端子の接続部４５は、第１接続端子列２０の各接続端子の接続部２５から離れた位置に配置される。
【００４６】
位置決めプレート３０は、樹脂の一体成形によって作られる。また、位置決めプレート３０には、所定間隔で形成された１３個の溝部３１が形成されている。各溝部３１は、第２接続端子列４０の複数の接続端子の脚部４４を１個づつを受け入れる。これにより、第２接続端子列４０をハウジング１０に対して位置決めするとともに、第２接続端子列４０の隣り合う接続端子の接触を防止することができる。言い換えると、第２接続端子列４０の各接続端子のピッチのばらつきを抑えることができる。したがって、第２接続端子列４０の各接続端子を正確に回路基板の接続位置にはんだ付けすることができる。
【００４７】
また、複数の溝部３１は、第２接続端子列４０を第１接続端子列２０に対して、列方向に任意の距離分ずれた状態で位置決めするように形成されている。本実施形態では、第２接続端子列４０が第１接続端子列２０に対して、列方向に半ピッチ分ずれた状態となるように複数の溝部３１が形成されている。したがって、第１接続端子列２０が接続される回路基板の接続位置に対して、第２接続端子列４０が接続される回路基板の接続位置を離すことができる。これにより、第１接続端子列２０および第２接続端子列４０を容易にそれぞれの接続位置に接続することができるとともに、はんだ付けのはみ出し等によって引き起こされる回路基板の接続位置でのショートを防ぐことができる。
【００４８】
また、本実施形態の位置決めプレート３０の上表面の右端近傍には、位置決めプレート３０をハウジング１０に挿入する方向に延びる凸部３２が一体に形成されている。この凸部３２は、組み立ての際、前述ハウジング１０に形成された案内溝１７ａに挿嵌される。この凸部３２によって、案内溝１７ａ、１７ｂに対する位置決めプレート３０の挿入方向を規定することができる。
【００４９】
本実施形態のコネクタ１は、さらに、第１接続端子列２０をハウジング１０に対して位置決めする第１接続端子列用位置決め手段を備えている。
【００５０】
第１接続端子列用位置決め手段は、前述のハウジング１０の壁部１１ｃに所定間隔ごとに形成された１３個の溝部１６からなる。各溝部１６は、それぞれ第１接続端子列２０の各接続端子を受け入れる。これにより、第１接続端子列２０をハウジング１０に対して位置決めするとともに、第１接続端子列２０の隣り合う接続端子の接触を防止することができる。言い換えると第１接続端子列２０の各接続端子のピッチのばらつきを抑えることができる。
【００５１】
溝部１６は、それぞれ第１接続端子列２０の各接続端子を受け入れた後、１３個の溝部１６の間にある平面部に、位置決めプレート３０の溝部３１が形成されている側面と対向する位置にある側面が当接する。溝部１６にそれぞれ受け入れられた第１接続端子列２０の各接続端子は、ハウジング１０の溝部１６および位置決めプレート３０の溝部３１が形成されている側面と対向する位置にある側面によって形成される位置決め口に挿入された状態となる。これにより、第１接続端子列２０をハウジング１０に対して位置決めするとともに、第１接続端子列２０の隣り合う接続端子の接触を防止することができる。言い換えると、第１接続端子列２０の各接続端子のピッチのばらつきを抑えることができる。したがって、第１接続端子列２０の各接続端子を正確に回路基板の接続位置にはんだ付けすることができる。
【００５２】
以上、説明したように、本発明のコネクタ１では、ハウジング１０とは別体に構成された位置決め手段である位置決めプレート３０によって、ハウジング１０および第２接続端子列４０に複雑な加工を必要とすることなく位置決めするとともに、第２接続端子列４０の隣り合う接続端子の接触を防止することができる。また、第１接続端子列２０、位置決めプレート３０、第２接続端子列４０の順でハウジング１０に装着することによって、位置決めプレート３０をハウジング１０に装着する際に、煩雑な工程を必要とすることなく、第２接続端子列４０をハウジング１０に対して容易に位置決めするとともに、第２接続端子列４０の隣り合う接続端子の接触を防止することができる。これにより、第２接続端子列２０の各接続端子のピッチのばらつきを抑えることができ、外観検査および接続端子の位置の手直し修正を行うことなく、コネクタ１を正確に回路基板に実装することができる。
【００５３】
なお、本実施形態のコネクタ１では、レセプタクル側のコネクタを用いて説明したが、これに限られることなく、同様の接続端子構成を有するプラグ側コネクタであってもよい。
【００５４】
また、本実施形態のコネクタ１では、第１接続端子列２０に対する位置決め手段としてハウジング１０に形成された溝部１６を、第２接続端子列４０に対する位置決め手段として位置決めプレート３０をそれぞれ用いて説明した。しかしながら、本発明のコネクタでは、これに限られることなく、図５に示すように、第１接続端子列２０の脚部２４側および第２接続端子列４０の脚部４４側となる位置決めプレート６０の対向する両側面に、それぞれ所定間隔で形成された第１接続端子列用溝部６１と所定間隔で形成された第２接続端子列用溝部６２を形成した位置決めプレート６０を用いてもよい。なお、この位置決めプレート６０を用いる場合、ハウジング１０の溝部１６を形成しなくてもよい。また、第１接続端子列２０および第２接続端子列４０を受けやすいように、第１接続端子列用溝部６１および第２接続端子列用溝部６２が位置決めプレート３０の外縁に向かって拡開するように形成されてもよい。
【００５５】
また、本実施形態のコネクタ１では、溝部３１が断面長方形状である場合を用いて説明したが、これに限られることなく、第２接続端子列４０を受けやすいように、溝部が断面位置決めプレート３０の外縁に向かって拡開するように形成されてもよい。
【００５６】
また、本実施形態のコネクタ１では、第１接続端子列２０および第２接続端子列４０の２列の端子列を位置決めするために、１枚の位置決めプレート３０を用いた場合について説明したが、これに限られることなく、３列以上の端子列を位置決めするために、複数の位置決めプレート３０を用いてもよい。この場合、ハウジング１０に形成される挿入口の列の数も端子列の数に応じて変化する。
【００５７】
また、本実施形態のコネクタ１では、第１接続端子列２０および第２接続端子列４０が１３個の接続端子を有する場合について説明したが、これに限られることなく、接続端子列が１３個以外の複数個の接続端子を有してもよい。この場合、位置決めプレート３０の溝部３１の数、挿入口列１４、１５の数および溝部１６の数も、接続端子列の接続端子の数に応じて増減させる。
【００５８】
また、本実施形態のコネクタ１では、第２接続端子列４０が第１接続端子列２０に対して、列方向に半ピッチ分ずれた状態となるように形成した溝部３１を用いて説明した。しかしながら、本発明のコネクタでは、これに限られることなく、第２接続端子列４０が第１接続端子列２０に対して、列方向に任意の距離分ずれた状態となるように形成してもよい。
【図面の簡単な説明】
【００５９】
【図１】本発明に係るコネクタの斜視図である。
【図２】図１に示すコネクタのケーシングを除いた部分の分解斜視図である。
【図３】組み立て前の接続端子列の斜視図である。
【図４】図１に示すコネクタの断面図である。
【図５】位置決めプレートの変形例の斜視図である。
【符号の説明】
【００６０】
１          コネクタ
１０        ハウジング
１１        端子保持部
１１ａ      第１接続端子列保持部
１１ｂ      第２接続端子列保持部
１１ｃ      壁部
１２        取り付け部
１３        延出部
１４        第１挿入口列
１５        第２挿入口列
１６        溝部
１７ａ      案内溝
１７ｂ      案内溝
１８        溝列
２０        第１接続端子列
２１        端子部
２２        連結部
２３        コンタクト部
２４        脚部
２５        接続部
３０        位置決めプレート
３１        溝部
３２        凸部
４０        第２接続端子列
４１        端子部
４２        連結部
４３        コンタクト部
４４        脚部
４５        接続部
５０        ケーシング
６０        位置決めプレート
６１        第１接続端子列用溝部
６２        第２接続端子列用溝部
【図１】
2006147372.tif 000003
【図２】
2006147372.tif 000004
【図３】
2006147372.tif 000005
【図４】
2006147372.tif 000006
【図５】
2006147372.tif 000007